(57)【要約】【課題】  商品購入者と商品供給者との間で効果的に交渉しつつ商品取引を行い、その結果を有効に活用することが可能な商品情報登録装置及び商品取引方法、並びに商品情報登録処理プログラム及び記録媒体を提供する。【解決手段】  本発明に係る商品情報登録装置は、通信ネットワークを介して商品供給者の端末装置と商品購入者の端末装置とが接続可能な商品情報登録装置において、前記商品供給者の端末装置に対し、販売対象の商品の商品情報及び取引条件の入力を促し、これに応じて入力された前記商品情報及び取引条件を取得して販売商品データベースに登録する第１商品登録手段と、前記商品購入者の端末装置に対し、前記販売商品データベースに登録された前記商品情報及び取引条件を提示して、少なくとも、当該取引条件の変更要求と、当該取引条件での商品購入要求との何れか一方の入力を促し、前記商品購入要求が入力された場合には、前記販売商品データベースに登録された商品情報及び取引条件を購入商品データベースに登録する第２商品登録手段と、を備える。【選択図】  図７
2005092562.tif 000002
【特許請求の範囲】
【請求項１】
通信ネットワークを介して商品供給者の端末装置と商品購入者の端末装置とが接続可能な商品情報登録装置において、
前記商品供給者の端末装置に対し、販売対象の商品の商品情報及び取引条件の入力を促し、これに応じて入力された前記商品情報及び取引条件を取得して販売商品データベースに登録する第１商品登録手段と、
前記商品購入者の端末装置に対し、前記販売商品データベースに登録された前記商品情報及び取引条件を提示して、少なくとも、当該取引条件の変更要求と、当該取引条件での商品購入要求との何れか一方の入力を促し、前記商品購入要求が入力された場合には、前記販売商品データベースに登録された商品情報及び取引条件を購入商品データベースに登録する第２商品登録手段と、を備えることを特徴とする商品情報登録装置。
【請求項２】
請求項１に記載の商品情報登録装置において、
前記第２商品登録手段は、前記変更要求が入力された場合には、前記商品供給者の端末装置に対し、当該変更要求を提示して当該取引条件の変更を促し、これに応じて変更された取引条件を取得して前記販売商品データベースに登録された取引条件を前記変更された取引条件に更新登録した後、前記商品購入者の端末装置に対し、当該登録された商品情報及び取引条件を提示して、少なくとも、当該取引条件での商品購入要求と、当該取引条件の変更要求の何れか一方の入力を促すことを特徴とする商品情報登録装置。
【請求項３】
請求項２に記載の商品情報登録装置において、
前記第２商品登録手段は、前記商品購入者の端末装置にて前記取引条件の変更要求が入力される限り、前記商品購入者の端末装置に対し、前記販売商品データベースに登録された商品情報及び取引条件を提示して、少なくとも、当該取引条件での商品購入要求と、当該取引条件の変更要求の何れか一方の入力を促すことを繰り返し行うことを特徴とする商品情報登録装置。
【請求項４】
請求項１乃至３の何れか一項に記載の商品情報登録装置において、
前記取引条件には、複数種類の商品についての商品情報を広告する広告印刷物への前記商品情報の掲載の有無又はＰＯＰ広告票への商品情報の掲載の有無が含まれていることを特徴とする商品情報登録装置。
【請求項５】
請求項１乃至３の何れか一項に記載の商品情報登録装置において、
前記商品購入者の端末装置に対し、複数種類の商品についての商品情報を広告する広告印刷物に掲載すべき商品情報の入力を促し、これに応じて入力された前記商品情報を取得して広告印刷物用商品データベースに登録する広告印刷物用商品登録手段と、を更に備え、
前記取引条件には、前記広告印刷物への商品情報の掲載の有無が含まれており、
前記広告印刷物用商品登録手段は、前記広告印刷物に掲載すべき商品情報の入力を促す際に、前記購入商品データベースを参照し前記広告印刷物への商品情報の掲載が有である商品の商品情報を選択可能に提示し、これに応じて選択された前記商品情報及び取引条件を取得して、前記広告印刷物に掲載すべき商品情報として前記広告印刷物用商品データベースに登録することを特徴とする商品情報登録装置。
【請求項６】
請求項１乃至３の何れか一項に記載の商品情報登録装置において、
前記商品購入者の端末装置に対し、ＰＯＰ広告票に掲載すべき商品情報の入力を促し、これに応じて入力された前記商品情報を取得してＰＯＰ広告票用商品データベースに登録するＰＯＰ広告票用商品登録手段と、を更に備え、
前記取引条件には、前記ＰＯＰ広告票への商品情報の掲載の有無が含まれており、
前記ＰＯＰ用商品登録手段は、前記ＰＯＰ広告票に掲載すべき商品情報の入力を促す際に、前記購入商品データベースを参照し前記ＰＯＰ広告票への商品情報の掲載が有である商品の商品情報を選択可能に提示し、これに応じて選択された前記商品情報を取得して、前記ＰＯＰ広告票に掲載すべき商品情報として前記ＰＯＰ用商品データベースに登録することを特徴とする商品情報登録装置。
【請求項７】
請求項６に記載の商品情報登録装置において、
前記取引条件には、前記ＰＯＰ広告票への商品情報の掲載の有の場合に、当該ＰＯＰ広告票に掲載すべき販促情報が含まれており、
前記ＰＯＰ用商品登録手段は、前記ＰＯＰ広告票に掲載すべき販促情報を、実際に当該ＰＯＰ広告票に掲載する販促情報として前記商品情報に対応付けて前記ＰＯＰ用商品データベースに登録することを特徴とする商品情報登録装置。
【請求項８】
コンピュータを、請求項１乃至７の何れか一項に記載の商品情報登録装置として機能させることを特徴とする商品情報登録処理プログラム。
【請求項９】
請求項８に記載の商品情報登録処理プログラムがコンピュータ読み取り可能に記録されたことを特徴とする記録媒体。
【請求項１０】
通信ネットワークを介して商品供給者の端末装置と商品購入者の端末装置が接続された商品情報登録装置における商品取引方法であって、
前記商品情報登録装置は、
前記商品供給者の端末装置に対し、販売対象の商品の商品情報及び取引条件の入力を促し、これに応じて入力された前記商品情報及び取引条件を取得して販売商品データベースに登録し、
前記商品購入者の端末装置に対し、前記販売商品データベースに登録された前記商品情報及び取引条件を提示して、少なくとも、当該取引条件の変更要求と、当該取引条件での商品購入要求との何れか一方の入力を促し、
前記商品購入要求が入力された場合には、前記販売商品データベースに登録された商品情報及び取引条件を購入商品データベースに登録し、
前記変更要求が入力された場合には、前記商品供給者の端末装置に対し、当該変更要求を提示して当該取引条件の変更を促し、これに応じて変更された取引条件を取得して前記販売商品データベースに登録された取引条件を前記変更された取引条件に更新登録した後、前記商品購入者の端末装置に対し、当該登録された商品情報及び取引条件を提示して、少なくとも、当該取引条件での商品購入要求と、当該取引条件の変更要求の何れか一方の入力を促すことを特徴とする商品取引方法。
【発明の詳細な説明】
【技術分野】
【０００１】
本発明は、商品情報登録装置及び通信ネットワークを介して、商品供給者の端末装置と商品購入者の端末装置との間で商品取引を行うことが可能なシステム及び方法等の技術分野に関する。
【背景技術】
【０００２】
近年、流通小売業者（小売店舗を有するスーパーマーケットやコンビニエンスストアチェーン等の商品流通業者）等の商品購入者と、商品供給業者（メーカ、問屋、商社、卸等）等の商品供給者（商品販売者）との間で行われる商品取引は、インターネット等の通信ネットワークを利用した電子商品取引システムによって行われるようになってきている。例えば、商品供給業者が端末装置から電子商取引サイト等へ売り込む商品群の商品情報を登録しておき、流通小売業者が端末装置から売り込まれた商品群より商品を選定し、買い付けを行うようになっている。
【０００３】
ところで、流通小売業者にとって、商品情報を掲載した販促チラシ等の広告印刷物の発行は、販売促進を行う上で非常に重要である。一般に、流通小売業者が広告印刷物を作成する場合、その流通小売業者は、商品供給業者から商品情報を入手し、その商品情報を例えばコンピュータにおける記憶部に構築されたデータベースに登録して広告印刷物に掲載する掲載商品リストを作成する。そして、印刷業者がその掲載商品リストに基づいて広告印刷物を作成している。
【０００４】
このような広告印刷物の作成にあたっても、商品供給業者、流通小売業者、及び印刷業者の三者の協働作業により効率的に行うことが可能なシステムが特許文献１に開示されている。
【特許文献１】特開平１１−１９５０２３号公報
【発明の開示】
【発明が解決しようとする課題】
【０００５】
しかしながら、従来のシステムでは、例えば流通小売業者が買い付ける商品に対して、複数の商品供給業者の中から安い価格を提示した業者を選ぶことをメインとした傾向が強く、内容も商取引に特化され、商品供給業者が登録する商品情報も「価格」や「仕様」などの情報に限られており、価格交渉、更には広告印刷物等への掲載等に基づく交渉を行うことはできなかった。
【０００６】
また、広告印刷物等の作成に当たって必要な掲載商品リストへの商品情報の登録作業も例えば上記商取引の結果に基づいて行うようなシステムは存在しなかった。
【０００７】
本発明は、以上の点に鑑みてなされたものであり、商品購入者と商品供給者との間で効果的に交渉しつつ商品取引を行い、その結果を有効に活用することが可能な商品情報登録装置及び商品取引方法、並びに商品情報登録処理プログラム及び記録媒体を提供することを課題とする。
【課題を解決するための手段】
【０００８】
上記課題を解決するために、１つの観点における本発明に係る商品情報登録装置は、通信ネットワークを介して商品供給者の端末装置と商品購入者の端末装置とが接続可能な商品情報登録装置において、前記商品供給者の端末装置に対し、販売対象の商品の商品情報及び取引条件の入力を促し、これに応じて入力された前記商品情報及び取引条件を取得して販売商品データベースに登録する第１商品登録手段と、前記商品購入者の端末装置に対し、前記販売商品データベースに登録された前記商品情報及び取引条件を提示して、少なくとも、当該取引条件の変更要求と、当該取引条件での商品購入要求との何れか一方の入力を促し、前記商品購入要求が入力された場合には、前記販売商品データベースに登録された商品情報及び取引条件を購入商品データベースに登録する第２商品登録手段と、を備えることを特徴とする。
【０００９】
ここで、この広告印刷物には、例えばチラシ、カタログ、パンフレット等が該当する。
【００１０】
また、上記商品情報登録装置において、前記第２商品登録手段は、前記変更要求が入力された場合には、前記商品供給者の端末装置に対し、当該変更要求を提示して当該取引条件の変更を促し、これに応じて変更された取引条件を取得して前記販売商品データベースに登録された取引条件を前記変更された取引条件に更新登録した後、前記商品購入者の端末装置に対し、当該登録された商品情報及び取引条件を提示して、少なくとも、当該取引条件での商品購入要求と、当該取引条件の変更要求の何れか一方の入力を促すことを特徴とする。
【００１１】
また、上記商品情報登録装置において、前記第２商品登録手段は、前記商品購入者の端末装置にて前記取引条件の変更要求が入力される限り、前記商品購入者の端末装置に対し、前記販売商品データベースに登録された商品情報及び取引条件を提示して、少なくとも、当該取引条件での商品購入要求と、当該取引条件の変更要求の何れか一方の入力を促すことを繰り返し行うことを特徴とする。
【００１２】
また、上記商品情報登録装置において、前記取引条件には、複数種類の商品についての商品情報を広告する広告印刷物への前記商品情報の掲載の有無又はＰＯＰ広告票への商品情報の掲載の有無が含まれていることを特徴とする。
【００１３】
また、上記商品情報登録装置において、前記商品購入者の端末装置に対し、複数種類の商品についての商品情報を広告する広告印刷物に掲載すべき商品情報の入力を促し、これに応じて入力された前記商品情報を取得して広告印刷物用商品データベースに登録する広告印刷物用商品登録手段と、を更に備え、前記取引条件には、前記広告印刷物への商品情報の掲載の有無が含まれており、前記広告印刷物用商品登録手段は、前記広告印刷物に掲載すべき商品情報の入力を促す際に、前記購入商品データベースを参照し前記広告印刷物への商品情報の掲載が有である商品の商品情報を選択可能に提示し、これに応じて選択された前記商品情報及び取引条件を取得して、前記広告印刷物に掲載すべき商品情報として前記広告印刷物用商品データベースに登録することを特徴とする。
【００１４】
また、上記商品情報登録装置において、前記商品購入者の端末装置に対し、ＰＯＰ広告票に掲載すべき商品情報の入力を促し、これに応じて入力された前記商品情報を取得してＰＯＰ広告票用商品データベースに登録するＰＯＰ広告票用商品登録手段と、を更に備え、前記取引条件には、前記ＰＯＰ広告票物への商品情報の掲載の有無が含まれており、前記ＰＯＰ用商品登録手段は、前記ＰＯＰ広告票に掲載すべき商品情報の入力を促す際に、前記購入商品データベースを参照し前記ＰＯＰ広告票への商品情報の掲載が有である商品の商品情報を選択可能に提示し、これに応じて選択された前記商品情報を取得して、前記ＰＯＰ広告票に掲載すべき商品情報として前記ＰＯＰ用商品データベースに登録することを特徴とする。
【００１５】
また、上記商品情報登録装置において、前記取引条件には、前記ＰＯＰ広告票への商品情報の掲載の有の場合に、当該ＰＯＰ広告票に掲載すべき販促情報が含まれており、前記ＰＯＰ用商品登録手段は、前記ＰＯＰ広告票に掲載すべき販促情報を、実際に当該ＰＯＰ広告票に掲載する販促情報として前記商品情報に対応付けて前記ＰＯＰ用商品データベースに登録することを特徴とする。
【００１６】
他の観点における本発明に係る商品情報登録プログラムは、コンピュータを、上記商品情報登録装置として機能させることを特徴とする。
【００１７】
更に他の観点における本発明に係る商品取引方法は、通信ネットワークを介して商品供給者の端末装置と商品購入者の端末装置が接続された商品情報登録装置における商品取引方法であって、前記商品情報登録装置は、前記商品供給者の端末装置に対し、販売対象の商品の商品情報及び取引条件の入力を促し、これに応じて入力された前記商品情報及び取引条件を取得して販売商品データベースに登録し、前記商品購入者の端末装置に対し、前記販売商品データベースに登録された前記商品情報及び取引条件を提示して、少なくとも、当該取引条件の変更要求と、当該取引条件での商品購入要求との何れか一方の入力を促し、
前記商品購入要求が入力された場合には、前記販売商品データベースに登録された商品情報及び取引条件を購入商品データベースに登録し、前記変更要求が入力された場合には、前記商品供給者の端末装置に対し、当該変更要求を提示して当該取引条件の変更を促し、これに応じて変更された取引条件を取得して前記販売商品データベースに登録された取引条件を前記変更された取引条件に更新登録した後、前記商品購入者の端末装置に対し、当該登録された商品情報及び取引条件を提示して、少なくとも、当該取引条件での商品購入要求と、当該取引条件の変更要求の何れか一方の入力を促すことを特徴とする。
【発明の効果】
【００１８】
上記発明によれば、商品提供者から提示された取引条件に基づき、商品提供者と商品購入者間で複数種類の商品の取引交渉を迅速、的確に行い、より効果的に商品取引を行うことができ、また、商品取引交渉で得られた情報を有効に活用することができる。
【発明を実施するための最良の形態】
【００１９】
以下、図面を参照して本発明の最良の実施形態について詳細に説明する。なお、以下に説明する実施の形態は、商品取引システムに対して本発明を適用した場合の実施形態である。
【００２０】
［商品取引システムＳの構成等］
先ず、図１を参照して本発明の一実施形態にかかる商品取引システムの構成について説明する。
【００２１】
図１は、本実施形態にかかる商品取引システムのハードウェア構成の一例を示す図である。
【００２２】
図１に示すように、商品取引システムＳは、商品情報登録装置としての商品情報登録サーバ１と、メーカや卸等の商品供給者（以下、「サプライヤー」という）の端末装置２と、流通小売業者等の商品購入者（以下、「バイヤー」という）の端末装置３と、を含んで構成されており、それらは、通信ネットワークの一例としてのインターネット４に接続されるようになっている。そして、端末装置２及び３は、それぞれ、インターネット４を介して商品情報登録サーバ１に接続し、当該商品情報登録サーバ１と相互にデータの送受信が可能になっている。なお、通信ネットワークは、インターネットに限定されるものではなく、例えば専用線により構築されたネットワークであってもよい。また、本実施形態においては、商品情報登録サーバ１は、インターネット４上で情報提供サービスを行うＷｅｂサーバとして説明する。
【００２３】
このような商品取引システムＳにおいて、サプライヤーは、端末装置２から商品情報登録サーバ１にインターネット４を介して接続（アクセス）し、バイヤーに対して商品を売り込むための商品売込情報を入力する。この商品売込情報には、販売対象の商品の商品情報と、その商品の取引条件が含まれており、これらは、後述する販売商品データベースに登録されることになる。一方、バイヤーは、端末装置３から商品情報登録サーバ１に接続し、販売商品データベースに登録された商品売込情報を閲覧してサプライヤーから提示された取引条件の変更要求（商品取引交渉）を行うことができ、かかる変更要求に対し、サプライヤーが承諾する場合には、端末装置２から上記取引条件を変更して販売商品データベースに更新登録させる。そして、バイヤーは、最終的に満足した取引条件で商品購入要求を行うことができ、当該購入要求がなされた商品の商品売込情報は、後述する購入商品データベースに登録されることになる。
【００２４】
次に、図２を参照して本実施形態にかかる商品情報登録サーバ１の構成及び機能について説明する。
【００２５】
図２は、商品情報登録サーバ１の概要構成を示す機能ブロック図である。商品情報登録サーバ１は、図２に示すように、制御部１１、記憶部１２、及び通信部１３等を備えたコンピュータにより構成される。なお、これらの構成要素の他にも、オペレータが指示入力を行うための入力部（キーボードやマウス等）や、各種情報を表示する表示部（モニタ等）を備えているが図示を省略している。
【００２６】
制御部１１は、演算機能を有するＣＰＵ、作業用ＲＡＭ、及び各種プログラムやデータを記憶するＲＯＭ等によって構成される。そして、ＣＰＵが例えばＲＯＭ或いは記憶部１２に記憶された商品情報登録処理プログラムを実行（商品情報登録アプリケーションを起動）することにより、コンピュータが商品情報登録サーバ１として機能するようになっている。この商品情報登録処理プログラムは、商品情報登録サーバ１が端末装置２，３に対して提供するサービスに対応した複数のアプリケーションプログラムからなっている。また、各アプリケーションプログラムの実行により、制御部１１は、本発明における第１商品登録手段、第２商品登録手段、広告印刷物用商品登録手段、及びＰＯＰ（Point Of Purchase：購買時点）用商品登録手段として機能するようになっている。これらの各手段についての詳細な説明は、後述する。
【００２７】
なお、商品情報登録処理プログラムは、例えばインターネット４上の他のサーバからサーバ１にダウンロードされるようにしてもよいし、ＣＤ−ＲＯＭ等の記録媒体に記録されてＣＤ−ＲＯＭ等のドライブを介してサーバ１に提供されるようにしてもよい。
【００２８】
記憶部１２は、例えばハードディスクドライブ（ＨＤＤ）等のデータ記憶手段からなり、ここには、販売商品データベース（ＤＢ）１２ａ、購入商品データベース（ＤＢ）１２ｂ、広告印刷物用商品データベース（ＤＢ）１２ｃ、ＰＯＰ用商品データベース（ＤＢ）１２ｄ、及び提示画面データベース（ＤＢ）１２ｅが構築されている。その他にも、本システムＳのユーザ登録データベース等が記憶部１２に構築されているが図示を省略している。
【００２９】
販売商品データベース１２ａには、サプライヤーにより端末装置２から入力された複数種類の商品の商品売込情報（販売対象の商品の商品情報と、その商品の取引条件等が含まれる）が登録（記憶）される。上記商品情報には、例えば、商品コード、商品名、メーカ名、ＪＡＮコード、商品仕様（サイズ、重量、材質、色等）や規格、商品の画像（商品の外観が撮影されたもの）、商品のキャッチコピー、例えばメーカ側からの商品のアピール等が含まれる。
【００３０】
また、上記取引条件には、例えば、商品の販売価格（メーカ価格や卸売価格等）、商品の販売数量、広告印刷物への商品情報の掲載、ＰＯＰ広告票への商品情報の掲載等が含まれ、これらはサプライヤーがバイヤーに対して要求する商品の取引条件である。例えば、サプライヤーは、この販売価格で商品を販売するために、広告印刷物に商品情報を掲載することをバイヤーに対して要求することができる。
【００３１】
また、広告印刷物への商品情報の掲載には、更に、広告印刷物への掲載期間、広告印刷物に掲載される商品の画像の大きさ（大、中、小）等の取引条件が付加される。また、ＰＯＰ広告票への商品情報の掲載には、ＰＯＰ広告票の大きさ（大、中、小）、及びＰＯＰ広告票に掲載を望む販促情報等のＰＯＰコメントの取引条件が付加される。例えば、サプライヤーが、この販売価格で商品を販売するために、広告印刷物に商品情報を掲載し、かつ広告印刷物に掲載される商品の画像が大きくなることをバイヤーに対して要求することができる。
【００３２】
購入商品データベース１２ｂには、バイヤーにより端末装置３から購入が決定された商品の上記商品売込情報が登録（記憶）される。ここに登録された商品売込情報に含まれる取引条件は、サプライヤーとバイヤーとの間で最終的に合意された（商談がまとまった）ものとなる。
【００３３】
広告印刷物用商品データベース１２ｃには、複数種類の商品についての商品情報を広告する広告印刷物に掲載される商品情報が各広告印刷物に係る情報（例えば、広告印刷物名、サイズ・種別等の情報）に対応付けられて登録（記憶）される。例えば、商品情報登録サーバ１から、購入商品データベース１２ｂに登録され広告印刷物への商品情報の掲載が有である商品の商品売込情報の全部又は一部が、バイヤーの端末装置３に選択可能に提示され、これに応じて選択された商品売込情報が広告印刷物に掲載すべき商品情報として広告印刷物用商品データベース１２ｃに登録されることになる。一般に、ここに登録された商品情報が、公知のＤＴＰ（Desk Top Publishing）システムにて広告印刷物の版面の所定位置に割り付けられて広告印刷物が作成される。
【００３４】
ＰＯＰ用商品データベース１２ｄには、ＰＯＰ広告票に掲載される商品の商品情報が登録（記憶）される。例えば、商品情報登録サーバ１から、購入商品データベース１２ｂに登録されＰＯＰ広告票への商品情報の掲載が有である商品の商品売込情報の全部又は一部が、バイヤーの端末装置３に選択可能に提示され、これに応じて選択された商品売込情報がＰＯＰ広告票に掲載すべき商品情報としてＰＯＰ用商品データベース１２ｄに登録されることになる。
【００３５】
また、ＰＯＰ用商品データベース１２ｄには、ＰＯＰ広告票の画像作成のためのＰＯＰ広告票の基準画像（最終的に端末装置に提供するＰＯＰ広告票の画像の基礎となるもの）に係る基準画像データと、各基準画像上に配置されるべき商品情報の位置を示す配置データが記憶されている。このＰＯＰ広告票の基準画像には、大、中、小の大きさがあり、バイヤーはこの大きさを選択することができる。
【００３６】
ＰＯＰ広告票の画像は、ＰＯＰ用商品データベース１２ｄに登録された商品情報、基準画像データ、及び配置データに基づいて作成され、それがＰＯＰ広告票として印刷されることになる。
【００３７】
提示画面データベース１２ｅには、商品情報登録サーバ１から端末装置２又は３に提示される（端末装置のモニタ上に表示される）画面の画面データ等が、例えば、ＷｅｂページデータとしてＨＴＭＬ（Hyper Text Markup Language）やＸＭＬ（Extensible Markup Language）形式（画面上のどの位置に文字や画像を埋め込むかを規定している。また、画面上における各種ボタン及びアイコン等は公知のハイパーリンク機能を有するように設定されている）等で記憶されている。なお、上記データベース１２ａ〜１２ｅ等は、データベースサーバに設けられ、そこで管理されるようにしてもよい。
【００３８】
通信部１３は、インターネット４を介して端末装置２又は３との間でデータ通信を行うためのものであり、制御部１１から送信すべきデータ（信号）が入力されると、当該信号に対して予め設定されている出力インターフェース処理を実行し、当該信号をインターネット４を介して端末装置２又は３に出力し、端末装置２又は３からインターネット４を介して送信されたデータ（信号）に対して予め設定されている入力インターフェース処理を実行し、制御部１１に出力するようになっている。
【００３９】
次に、端末装置２，３には、例えば汎用のパーソナルコンピュータを適用でき、ＣＰＵ等からなる制御部、ＨＤＤ等の記憶部、キーボード，マウス等の入力部、モニタ等の表示部、及び通信部等を備えており、作成されたＰＯＰ広告票等を印刷するための印刷機（プリンタ）が接続されている。また、端末装置２，３は、商品情報登録サーバ１から送信されたＷｅｂページデータ等を受信してモニタ上に表示させるＷｅｂブラウザ機能を有している。これにより、端末装置２，３のモニタ上には、各種画面が表示されるとともに、その画面上に上記商品情報及び取引条件等の文字や画像が等が表示されることになる。
【００４０】
［商品取引システムＳの動作］
次に、本実施形態にかかる商品取引システムＳの動作について商品情報登録サーバ１を主体として説明する。
【００４１】
先ず、図３を参照して商品情報登録サーバ１にて実行される提供サービス選択処理について説明する。
【００４２】
図３は、商品情報登録サーバ１の制御部１１における提供サービス選択処理を示すフローチャートである。
【００４３】
始めに、サプライヤーが、端末装置２から商品情報登録サーバ１に接続してサービスの提供を受ける場合について説明する。
【００４４】
サプライヤー（サプライヤーのユーザ）が端末装置２の入力部を操作して商品情報登録サーバ１のＵＲＬ（Uniform Resource Locator）を指定すると、当該端末装置２がインターネット４を介して商品情報登録サーバ１に接続し通信回線を確立する。
【００４５】
図３の処理において、商品情報登録サーバ１の制御部１１は、上記接続（アクセス）に応じて、提示画面データベース１２ｅに記憶された識別情報入力画面の画面データ等を取得してインターネット４を介して端末装置２に提示する（送信して表示させる：以下同じ）（ステップＳ１）。
【００４６】
こうして端末装置２のモニタ上に識別情報入力画面（図示せず）が表示され、当該画面上には識別情報及びパスワードを入力するための識別情報入力欄及び実行ボタン等が設けられている。
【００４７】
このような表示状態において、サプライヤーが端末装置２のキーボードを操作して識別情報入力欄に、そのサプライヤーに固有の識別情報及びパスワードを入力し実行ボタンをマウスにより指定（クリック）すると、入力された識別情報及びパスワードがインターネット４を介して商品情報登録サーバ１に送信される。
【００４８】
商品情報登録サーバ１の制御部１１が、かかる識別情報及びパスワードを受信すると（ステップＳ２：Ｙ）、受信された識別情報及びパスワードが例えば本システムＳのユーザ登録データベース（例えば、サプライヤー名若しくはバイヤー名と、識別情報と、パスワードとが対応付けられて登録）に記憶されているか否かを判断し（ステップＳ３）、記憶されていない場合には（ステップＳ３：Ｎ）、端末装置２のモニタ上にエラーメッセージを表示させ（ステップＳ４）、処理を終了する。
【００４９】
一方、受信された識別情報及びパスワードが登録されている場合には（ステップＳ３：Ｙ）、制御部１１は、入力された識別情報に応じたアプリケーションプログラムの選定（提供サービスの決定）及び各種パラメータ等の設定に基づき、提示画面データベース１２ｅに記憶された提供サービス選択画面の画面データ等を取得し、インターネット４を介して端末装置２に提示する（ステップＳ５）。
【００５０】
こうして端末装置２のモニタ上に提供サービス選択画面（図示せず）が表示され、当該画面上には、商品取引処理（販売商品登録処理）アイコンが設けられている。このような表示状態において、サプライヤーが端末装置２の例えばマウスにより商品取引処理（販売商品登録処理）アイコンを指定（クリック）すると、制御部１１は、これを認識し（ステップＳ６：Ｙ）、商品取引処理（販売商品登録処理）を実行する（ステップＳ７）。
【００５１】
次に、図４等を参照して商品情報登録サーバ１にて実行される商品取引処理（販売商品登録処理）について説明する。
【００５２】
図４は、商品情報登録サーバ１の制御部１１における商品取引処理（販売商品登録処理）を示すフローチャートである。図４に示す商品取引処理が実行されると、制御部１１は、提示画面データベース１２ｅに記憶された商品売込一覧画面の画面データ等を取得すると共に、既に販売商品データベース１２ａに商品売込情報が登録されている場合には、これを取得し、これらをインターネット４を介して端末装置２に提示する（ステップＳ１１）。
【００５３】
こうして端末装置２のモニタ上に表示された商品売込一覧画面の一例を図５に示す。図５に示すように、商品売込一覧画面３１には、販売商品データベース１２ａに登録された各商品の商品売込情報表示部３１ａと、商品登録ボタン３１ｂと、終了ボタン３１ｃとが設けられている。各商品の商品売込情報表示部３１ａには、商品売込情報の一部（図５の例では、商品名（選択可能に表示）、メーカ名、販売価格、及び商品のアピール）が表示されていると共に、商品取引の進捗を示す表示がなされている。商品取引の進捗には、「見積依頼」、「再見積」、「採用」の３つの項目があり、現在の進捗を示す項目がハイライト表示（他の項目と区別する表示）されるようになっている。
【００５４】
ここで、サプライヤーによって商品売込情報が登録されると、先ずは、その商品の商品取引の進捗が「見積依頼」となる。バイヤーによって取引条件の変更要求（商品取引交渉）がなされると、その商品の商品取引の進捗が「再見積」となる。そして、バイヤーによって商品購入要求がなされると、その商品の商品取引の進捗が「採用」となる。
【００５５】
このような表示状態において、サプライヤーが端末装置２の例えばマウスを操作して商品登録ボタン３１ｂを指定（クリック）すると、制御部１１は、これを認識し（ステップＳ１２：Ｙ）、提示画面データベース１２ｅに記憶された商品売込情報登録画面の画面データ等を取得してインターネット４を介して端末装置２に提示する（ステップＳ１３）。
【００５６】
こうして端末装置２のモニタ上に表示された商品売込情報登録画面の一例を図６に示す。図６に示すように、商品売込情報登録画面３２には、担当者情報入力部３２ａ、商品情報入力部３２ｂ、取引条件入力部３２ｃ、及び登録ボタン３２ｄが設けられている。
【００５７】
担当者情報入力部３２ａには、例えば担当者の名称、担当者の会社の名称、部署名、住所、電話番号、ＦＡＸ番号、及び電子メールアドレス等の情報の入力欄が設けられている。
【００５８】
商品情報入力部３２ｂには、商品名、メーカ名、ＪＡＮコード、商品仕様や規格、商品の画像（ファイル名）、商品のキャッチコピー、商品のアピール等の商品情報の入力欄が設けられている。
【００５９】
そして、取引条件入力部３２ｃには、商品の販売価格（メーカ価格や卸売価格等）入力欄３２１、商品の販売数量入力欄３２２、広告印刷物への商品情報の掲載有無入力欄３２３、及びＰＯＰ広告票への商品情報の掲載有無入力欄３２４が設けられている。
【００６０】
更に、取引条件入力部３２ｃには、広告印刷物への商品情報の掲載有無入力欄３２３に「有」が入力される場合に対応して、広告印刷物への掲載期間入力欄３２５、広告印刷物に掲載される商品の画像の大きさ入力欄３２６が設けられている。また、ＰＯＰ広告票への商品情報の掲載有無入力欄３２４に「有」が入力される場合に対応して、ＰＯＰ広告票の大きさ入力欄３２７及びＰＯＰコメント入力欄３２８が設けられている。
【００６１】
このような表示状態において、サプライヤーが端末装置２のキーボードを操作して担当者情報入力部３２ａ、商品情報入力部３２ｂ、及び取引条件入力部３２ｃに、それぞれ、担当者情報、商品情報、及び取引条件を入力する。図６の例では、このうち、取引条件入力部３２ｃにおける広告印刷物への商品情報の掲載有無入力欄３２３及びＰＯＰ広告票への商品情報の掲載有無入力欄３２４に「有」が入力され、広告印刷物に掲載される商品の画像の大きさ入力欄３２６に「大」が入力され、ＰＯＰコメント入力欄３２８に商品の販促情報としてのコメントが入力されている。これは、サプライヤーが、取引条件として、商品情報及びその販促情報を広告印刷物に掲載し、そこに掲載される商品の画像を大きくし、更に、ＰＯＰコメントをＰＯＰ広告票に掲載することをバイヤーに対して要求する例である。
【００６２】
そして、サプライヤーが端末装置２の例えばマウスを操作して登録ボタン３２ｄを指定（クリック）すると、入力された担当者情報、商品情報、及び取引条件を含む商品売込情報がインターネット４を介して商品情報登録サーバ１に送信される。
【００６３】
商品情報登録サーバ１の制御部１１が、かかる商品売込情報を受信（取得）すると（ステップＳ１４：Ｙ）、第１商品登録手段として機能し、かかる商品売込情報を、新たに、販売商品データベース１２ａに登録する（ステップＳ１５）。そして、制御部１１は、再び、商品売込一覧画面３１を端末装置２に提示する（ステップＳ１１）。
【００６４】
こうして表示された商品売込一覧画面３１には、図示しないが、新たに商品売込情報が登録された商品の商品売込情報表示部が表示され、その中の商品取引の進捗では、「見積依頼」の項目がハイライト表示される。
【００６５】
次に、例えばサプライヤーが端末装置２の例えばマウスを操作して商品売込情報表示部３１ａにおける商品名３１１（商品取引の進捗が「再見積」となっている商品）を指定（クリック）すると、制御部１１は、これを認識し（ステップＳ１６：Ｙ）、販売商品データベース１２ａを参照して指定された商品名に対応する商品売込情報及びバイヤーからの再見積依頼のコメントを取得すると共に、提示画面データベース１２ｅに記憶された商品売込情報変更画面の画面データ等を取得して、これらをインターネット４を介して端末装置２に提示する（ステップＳ１７）。
【００６６】
こうして端末装置２のモニタ上に表示された商品売込情報変更画面の一例を図７に示す。図７に示すように、商品売込情報変更画面３３には、取引条件変更要求コメント表示部３３ａ、商品情報入力部３３ｂ、取引条件入力部３３ｃ、返信コメント入力部３３ｄ、及び再見積ボタン３３ｅ等が設けられている。 
【００６７】
取引条件変更要求コメント表示部３３ａには、上記商品売込情報登録画面３２における取引条件入力部３２ｃに入力された取引条件の変更要求を示すバイヤーからのコメントが表示される。図７の例では、「他の取引条件は了解しますので、商品の販売価格を５％値引きできませんか？」とのコメントが表示されている。
【００６８】
商品情報入力部３３ｂには、上記商品売込情報登録画面３２における商品情報入力部３２ｂにて入力された商品情報が変更可能に表示されており、サプライヤーは端末装置２のキーボードを操作して商品情報を変更することができる。
【００６９】
取引条件入力部３３ｃには、上記商品売込情報登録画面３２における取引条件入力部３２ｃにて入力された取引条件が変更可能に表示されており、例えば、サプライヤーは、取引条件変更要求コメント表示部３３ａに表示されたコメントに承諾し、端末装置２のキーボードを操作して、商品の販売価格入力欄３３１に表示された販売価格を変更（５％値引きで）することができる。或いは、サプライヤーは、商品の販売価格入力欄３３１に表示された販売価格を変更せず、その代わりに、広告印刷物への商品情報の掲載有無入力欄３３３、及びＰＯＰ広告票への商品情報の掲載有無入力欄３３４に表示された「有」を「無」に変更することができる。なお、後述するように、サプライヤーによって取引条件入力部３３ｃに入力された取引条件をバイヤーが変更可能なようにしてもよい。
【００７０】
返信コメント入力部３３ｄには、取引条件変更要求コメント表示部３３ａに表示されたコメントに対する返信コメントを入力するようになっており、例えば、サプライヤーは、端末装置２のキーボードを操作して、「商品の販売価格を５％値引きしました。」とのコメントを入力することができる。或いは、サプライヤーは、「商品の販売価格を５％値引きできませんが、広告印刷物及びＰＯＰ広告票への商品情報の掲載は不要です。」とのコメントを入力することができる。その他、サプライヤーは、商品品質保証などのアピールを追加したり、販売数量の増加等の要求をすることができる。
【００７１】
そして、サプライヤーが端末装置２の例えばマウスを操作して再見積ボタン３３ｅを指定（クリック）すると、商品売込情報変更画面３３にて入力されている又は変更された商品情報及び取引条件、更には、返信コメントを含む商品売込情報がインターネット４を介して商品情報登録サーバ１に送信される。
【００７２】
商品情報登録サーバ１の制御部１１が、かかる商品売込情報を受信（取得）すると（ステップＳ１８：Ｙ）、販売商品データベース１２ａに既に登録されている商品売込情報を受信（取得）した商品売込情報に更新登録する（ステップＳ１９）。そして、制御部１１は、再び、商品売込一覧画面３１を端末装置２に提示する（ステップＳ１１）。
【００７３】
そして、サプライヤーが、終了ボタン３１ｃを例えばマウスにより指定（クリック）すると、制御部１１はこれを認識し（ステップＳ２０：Ｙ）、図３に示す提供サービス選択処理に戻る（ステップＳ５に戻る）。
【００７４】
次に、バイヤーが、端末装置３から商品情報登録サーバ１に接続してサービスの提供を受ける場合について説明する。この場合も、図３に示す提供サービス選択処理が実行され、図３に示すステップＳ５では、入力されたバイヤーの識別情報に応じたアプリケーションプログラムの選定及び各種パラメータ等の設定に基づき、端末装置３に提供サービス選択画面が提示される。
【００７５】
こうしてバイヤーの端末装置３のモニタ上に表示された提供サービス選択画面（図示せず）には、商品取引処理アイコン及び掲載商品リスト作成処理アイコンが設けられている。
【００７６】
このような表示状態において、ユーザが端末装置３の例えばマウスにより所望の処理アイコンを指定（クリック）すると、制御部１１は、これを認識し（ステップＳ６：Ｙ）、選択された処理アイコンに応じた処理を実行する（ステップＳ７）。より具体的には、商品取引処理アイコンが指定された場合には商品取引処理（購入商品登録処理）が、掲載商品リスト作成処理アイコンが指定された場合には掲載商品リスト作成処理が、それぞれ実行されることになる。
【００７７】
次に、図８等を参照して商品情報登録サーバ１にて実行される商品取引処理（購入商品登録処理）について説明する。
【００７８】
図８は、商品情報登録サーバ１の制御部１１における商品取引処理（購入商品登録処理）を示すフローチャートである。図８に示す商品取引処理が実行されると、制御部１１は、提示画面データベース１２ｅに記憶された商品売込一覧画面の画面データ等を取得すると共に、既に販売商品データベース１２ａに商品売込情報が登録されている場合にはこれを取得し、これらをインターネット４を介して端末装置３に提示する（ステップＳ３１）。
【００７９】
こうして端末装置３のモニタ上に表示された商品売込一覧画面の一例を図９に示す。図９に示すように、商品売込一覧画面３４には、図５に示す商品売込一覧画面３１と同様、商品売込情報表示部３４ａと、終了ボタン３４ｂとが設けられている（但し、商品登録ボタンは、この画面には設けられていない）。
【００８０】
各商品の商品売込情報表示部３４ａに表示される情報は、図５に示す商品売込一覧画面３１における商品売込情報表示部３１ａと同様である。
【００８１】
このような表示状態において、バイヤーが端末装置３の例えばマウスを操作して商品売込情報表示部３４ａにおける商品取引の進捗が「見積依頼」又は「再見積」となっている商品の商品名（ここでは、一例として、商品取引の進捗が「再見積」となっている商品の商品名３４１）を指定（クリック）すると、制御部１１は、これを認識し（ステップＳ３２：Ｙ）、販売商品データベース１２ａを参照して指定された商品名に対応する商品売込情報を取得すると共に、提示画面データベース１２ｅに記憶された商品売込情報閲覧画面の画面データ等を取得して、これらをインターネット４を介して端末装置３に提示する（ステップＳ３３）。
【００８２】
こうして端末装置３のモニタ上に表示された商品売込情報閲覧画面の一例を図１０に示す。図１０に示すように、商品売込情報閲覧画面３５には、商品情報表示部３５ａ、取引条件表示部３５ｂ、再見積ボタン３５ｃ、採用ボタン３５ｄ、及び不採用ボタン３５ｅ等が設けられている。商品情報表示部３５ａ及び取引条件表示部３５ｂには、上述した商品売込情報登録画面３２又は商品売込情報変更画面にて入力された商品情報（商品の画像自体も表示）及び取引条件が表示されるようになっている。また、商品売込情報閲覧画面３５には、取引条件の変更要求を示すバイヤーからのコメントが表示される取引条件変更要求コメント表示部３５ｆと、かかる変更要求に対するサプライヤーからのコメントが表示される返信コメント表示部３５ｇが設けられており、サプライヤーとバイヤーとの過去の交渉が分かるようになっている。
【００８３】
このような表示状態において、バイヤーが、サプライヤーから提示された商品情報及び取引条件を確認し、提示された取引条件で商品の購入要求を行うか否か、或いはその取引条件の変更要求を行うかを判断する。バイヤーは、提示された取引条件で商品の購入要求を行う（採用する）場合、端末装置３の例えばマウスを操作して採用ボタン３５ｄを指定（クリック）する。また、バイヤーは、商品の購入要求を行わない場合、端末装置３の例えばマウスを操作して不採用ボタン３５ｅを指定（クリック）する。また、バイヤーは、提示された取引条件の変更要求を行う場合、端末装置３の例えばマウスを操作して再見積ボタン３５ｃを指定（クリック）する。
【００８４】
採用ボタン３５ｄが指定（クリック）されると、制御部１１は、これを認識し（ステップＳ３４：Ｙ）、第２商品登録手段として機能して、販売商品データベース１２ａに登録されている当該商品の商品売込情報を購入商品データベース１２ｂに登録する（ステップＳ３５）。そして、制御部１１は、再び、商品売込一覧画面３４を端末装置３に提示する（ステップＳ３１）。
【００８５】
また、不採用ボタン３５ｅが指定（クリック）されると、制御部１１は、これを認識し（ステップＳ３６：Ｙ）、購入商品データベース１２ｂへの商品売込情報の登録を行うことなく、再び、商品売込一覧画面３４を端末装置３に提示する（ステップＳ３１）。
【００８６】
また、再見積ボタン３５ｃが指定（クリック）されると、制御部１１は、これを認識し（ステップＳ３７：Ｙ）、販売商品データベース１２ａを参照して指定された商品名に対応する商品売込情報を取得すると共に、提示画面データベース１２ｅに記憶された取引条件変更要求入力画面の画面データ等を取得して、これらをインターネット４を介して端末装置３に提示する（ステップＳ３８）。
【００８７】
こうして端末装置３のモニタ上に表示された取引条件変更要求入力画面の一例を図１１に示す。図１１に示すように、取引条件変更要求入力画面３６には、商品売込情報閲覧画面３５における商品情報表示部３５ａ及び取引条件表示部３５ｂと同様の内容が表示される商品情報表示部３６ａ及び取引条件表示部３６ｂ、取引条件変更要求コメント入力部３６ｃ、及び再見積ボタン３６ｄ等が設けられている。
【００８８】
このような表示状態において、バイヤーが端末装置３のキーボードを操作して、サプライヤーに対して行う取引条件の変更要求コメントを取引条件変更要求コメント入力部３６ｃに入力し、例えばマウスを操作して再見積ボタン３６ｄを指定（クリック）すると、入力された取引条件の変更要求コメントがインターネット４を介して商品情報登録サーバ１に送信される。例えば、取引条件の変更要求として、バイヤーは、広告印刷物への商品情報の掲載、特売、発注量増等を理由に価格交渉を行うことができる。
【００８９】
商品情報登録サーバ１の制御部１１が、かかる取引条件の変更要求コメントを受信（取得）すると（ステップＳ３９：Ｙ）、かかる取引条件の変更要求コメントを当該商品情報に対応付けて販売商品データベース１２ａに登録する（ステップＳ４０）。そして、制御部１１は、再び、商品売込一覧画面３４を端末装置３に提示する（ステップＳ３１）。
【００９０】
こうして表示された商品売込一覧画面３４の商品売込情報表示部３４ａ（商品名３４１）に表示された商品取引の進捗では、「再見積」の項目がハイライト表示されることになる。
【００９１】
なお、バイヤーが例えばキーボードを操作して、取引条件変更要求入力画面３６における取引条件表示部３６ｂに表示された取引条件を変更可能とし、再見積ボタン３６ｄが指定（クリック）された場合、取引条件の変更要求コメント共に、変更された取引条件がインターネット４を介して商品情報登録サーバ１に送信され、販売商品データベース１２ａに更新登録されるように構成してもよい。
【００９２】
そして、バイヤーが、終了ボタン３４ｂを例えばマウスにより指定（クリック）すると、制御部１１はこれを認識し（ステップＳ４１：Ｙ）、図３に示す提供サービス選択処理に戻る（ステップＳ５に戻る）。
【００９３】
以上説明した商品取引処理によって、サプライヤーとバイヤーは商品取引交渉を行うことができ、バイヤーが最終的に満足した取引条件で商品購入要求を行うまで、言い換えれば、バイヤーが取引条件の変更要求を行う限り、商品情報登録サーバ１は、バイヤーの端末装置３に対し、販売商品データベース１２ａに登録された商品情報及び変更された取引条件を提示して、商品売込情報閲覧画面３５にて、少なくとも、取引条件での商品購入要求と、当該取引条件の変更要求の何れか一方の入力を促すことを繰り返し行うことになる。
【００９４】
そして、このように商品取引交渉が反映され、購入商品データベース１２ｂに登録された商品売込情報は、掲載商品リスト作成処理によって広告印刷物に掲載すべき商品情報として、また、ＰＯＰ広告票に掲載すべき商品情報として有効に活用される。
【００９５】
次に、図１２等を参照して商品情報登録サーバ１にて実行される掲載商品リスト作成処理について説明する。
【００９６】
図１２は、商品情報登録サーバ１の制御部１１における掲載商品リスト作成処理を示すフローチャートである。図１２に示す掲載商品リスト作成処理が実行されると、制御部１１は、広告印刷物用商品データベース１２ｃを参照して提示に必要な情報を取得すると共に、提示画面データベース１２ｅに記憶された広告印刷物選択画面の画面データ等を取得して、インターネット４を介して端末装置３に提示する（ステップＳ５１）。
【００９７】
こうして端末装置３のモニタ上に表示された広告印刷物選択画面の一例を図１３に示す。図１３に示すように、広告印刷物選択画面３７には、複数種類の広告印刷物に係る情報（例えば、セール期間、セール名、広告印刷物名、広告印刷物のサイズ・種別など）が一覧（リスト）形式で表示されていると共に、各広告印刷物に係る情報に対応して選択入力欄３７ａ、及びリスト作成ボタン３７ｂが設けられている。
【００９８】
このような表示状態において、バイヤーが端末装置３の例えばマウスを操作して所望の広告印刷物の選択入力欄３７ａをチェック（つまり、広告印刷物に係る情報を選択）して、リスト作成ボタン３７ｂを指定（クリック）すると、制御部１１は、指定された広告印刷物に係る情報を認識し（ステップＳ５２：Ｙ）、広告印刷物用商品データベース１２ｃを参照して、選択された広告印刷物に係る情報に対応する商品情報を取得すると共に、提示画面データベース１２ｅに記憶された広告印刷物掲載商品リスト作成画面の画面データ等を取得して、それらをインターネット４を介して端末装置３に提示する（ステップＳ５３）。
【００９９】
こうして端末装置３のモニタ上に表示された広告印刷物掲載商品リスト作成画面の一例を図１４に示す。図１４に示すように、広告印刷物掲載商品リスト作成画面３８には、広告印刷物に掲載されるとして既に登録された複数種類の商品についての商品情報（ここでは、広告印刷物における商品の位置及び大きさ（商品の画像の大きさ）、商品の画像、メーカ名、商品名、ＪＡＮコード、商品の仕様、商品価格（メーカ希望価格、通常価格、売価）、割引率、商品のキャッチコピー）が一覧（リスト）形式で変更可能に表示されている。更に、掲載商品リスト作成画面３８には、登録ボタン３８ａ、購入商品取込ボタン３８ｂ、ＰＯＰボタン３８ｃ、及び登録終了ボタン３８ｄ等が設けられている。
【０１００】
このような表示状態において、バイヤーが端末装置３の例えばマウスを操作して登録ボタン３８ａを指定（クリック）すると、制御部１１は、これを認識し（ステップＳ５４：Ｙ）し、提示画面データベース１２ｅに記憶された商品情報登録画面の画面データ等を取得して、インターネット４を介して端末装置３に提示する（ステップＳ５５）。
【０１０１】
こうして端末装置３のモニタ上に商品情報登録画面（図示せず）が表示され、当該画面上には上記商品情報を入力するための複数の商品情報入力欄及び登録ボタン等が設けられている。このような表示状態において、バイヤーが端末装置３の入力部を操作して商品情報入力欄に商品情報を入力（商品の画像については、例えば画像ファイル名を入力）して登録ボタンを例えばマウスにより指定（クリック）すると、入力された商品情報がインターネット４を介して商品情報登録サーバ１に送信される。
【０１０２】
商品情報登録サーバ１の制御部１１が、かかる商品情報を受信（取得）すると（ステップＳ５６：Ｙ）、広告印刷物用商品登録手段として機能し、広告印刷物用商品データベース１２ｃに登録されている広告印刷物に係る情報に対応付けて当該商品情報を広告印刷物用商品データベース１２ｃに登録する（ステップＳ５７）。再び、広告印刷物掲載商品リスト作成画面３８が端末装置３に提示される。
【０１０３】
こうして端末装置３のモニタ上に表示された広告印刷物掲載商品リスト作成画面３８には、図示しないが、ステップＳ５７で登録された商品情報がリストに追加されて表示される。
【０１０４】
そして、バイヤーが端末装置３の例えばマウスを操作して購入商品取込ボタン３８ｂを指定（クリック）すると、制御部１１は、これを認識し（ステップＳ５８：Ｙ）し、制御部１１は、購入商品データベース１２ｂを参照して広告印刷物への商品情報の掲載が有である商品の商品売込情報を取得すると共に、提示画面データベース１２ｅに記憶された購入商品選択画面の画面データ等を取得して、これらをインターネット４を介して端末装置３に提示する（ステップＳ５９）。
【０１０５】
こうして端末装置３のモニタ上に表示された購入商品選択画面の一例を図１５に示す。図１５に示すように、購入商品選択画面３９には、購入商品データベース１２ｂに登録された商品売込情報（例えば、商品の画像、商品の画像の大きさ、メーカ名、商品名、ＪＡＮコード、商品仕様や規格、メーカ価格、商品のキャッチコピー、広告印刷物への掲載有無、広告印刷物への掲載期間、ＰＯＰ広告票への掲載有無、ＰＯＰ広告票の大きさ、及びＰＯＰコメント）が一覧（リスト）形式で表示（広告印刷物への商品情報の掲載が無である商品は、例えＰＯＰ広告票への商品情報の掲載が有であってもその商品情報は表示されない）されていると共に、各商品に対応した選択入力欄３９ａ、及び登録ボタン３９ｂが設けられている。
【０１０６】
このような表示状態において、バイヤーが端末装置３の例えばマウスを操作して所望（例えば、取引条件であった広告印刷物掲載有（掲載期間を考慮してもよい））の商品の選択入力欄３９ａをチェック（つまり、商品売込情報を選択）して、登録ボタン３９ｂを指定（クリック）すると、制御部１１は、選択された１又は複数の商品の商品売込情報を認識し（ステップＳ６０：Ｙ）、選択された商品売込情報を広告印刷物用商品データベース１２ｃに登録する（ステップＳ６１）。再び、掲載商品リスト作成画面３８が端末装置３に提示される。
【０１０７】
こうして端末装置３のモニタ上に表示された掲載商品リスト作成画面の一例を図１６に示す。図１６に示すように、広告印刷物掲載商品リスト作成画面３８には、ステップＳ６１で登録された商品売込情報のうち該当する商品情報及び取引条件がリストに追加されて表示されている。例えば商品の画像の大きさを「大」とする取引条件は、商品の画像の大きさ入力欄３８１に表示されている。この商品の画像の大きさは、通常、バイヤーによって再度選択又は入力されるが、本実施形態においては、上述した商品取引処理にてサプライヤー若しくはバイヤーによって入力されたものが自動的に反映されることになる。
【０１０８】
また、このような表示状態で、バイヤーは入力部を操作して商品売込情報では足りなかった情報（例えば、商品の売価）を入力することができる。このように、バイヤーは購入商品データベース１２ｂに登録された商品売込情報を広告対象物の掲載商品リスト作成に有効に利用することができる。
【０１０９】
次に、バイヤーが端末装置３の例えばマウスを操作してＰＯＰボタン３８ｃを指定（クリック）すると、制御部１１は、これを認識し（ステップＳ６２：Ｙ）し、ＰＯＰ掲載商品リスト作成処理に移行する（ステップＳ６３）。
【０１１０】
図１７は、商品情報登録サーバ１の制御部１１におけるＰＯＰ掲載商品リスト作成処理を示すフローチャートである。ＰＯＰ掲載商品リスト作成処理が実行されると、制御部１１は、広告印刷物掲載商品リスト作成画面３８における商品（つまり、広告印刷物の掲載商品リストに含まれる商品）についての商品情報（商品売込情報が広告印刷物用商品データベース１２ｃに登録されており、ＰＯＰ広告票の大きさ及びＰＯＰコメントが登録されている商品についてはこれも取得）を広告印刷物用商品データベース１２ｃから取得し、更に、ＰＯＰ用商品データベース１２ｄに既に商品情報が登録されている場合には、これを取得すると共に、提示画面データベース１２ｅに記憶されたＰＯＰ掲載商品リスト作成画面の画面データ等を取得して、これらをインターネット４を介して端末装置３に提示する（ステップＳ６３１）。
【０１１１】
こうして端末装置３のモニタ上に表示されたＰＯＰ掲載商品リスト作成画面４０の一例を図１８に示す。図１８に示すように、ＰＯＰ掲載商品リスト作成画面４０には、広告印刷物掲載商品リスト作成画面３８における広告印刷物の掲載商品リストに含まれる全ての商品の商品情報が一覧（リスト）形式で表示されている。つまり、広告印刷物に掲載される広告印刷物掲載商品リストにおける商品の商品情報がＰＯＰ掲載商品リストに取り込まれることになる。
【０１１２】
更に、取引条件であったＰＯＰ広告票の大きさ及びＰＯＰコメントが含まれている商品については、ＰＯＰ大きさ入力欄４０２及びＰＯＰコメント入力欄４０１に表示されている。このＰＯＰ広告票の大きさ及びＰＯＰコメントは、通常、バイヤーによって再度選択又は入力されるが、本実施形態においては、上述した商品取引処理にてサプライヤー若しくはバイヤーによって入力されたものが自動的に反映されることになる。また、ＰＯＰ掲載商品リスト作成画面４０には、登録ボタン４０ａ、購入商品取込ボタン４０ｂ、ＰＯＰ作成ボタン４０ｃ、及び登録終了ボタン４０ｄ、ＰＯＰ基準画像表示部４０ｅ及びＰＯＰ配置表示部４０ｆが設けられている。ＰＯＰ基準画像表示部４０ｅには、大中小のＰＯＰ広告票の基準画像が表示されており、ＰＯＰ配置表示部４０ｆには、大中小それぞれのＰＯＰ広告票の基準画像上に配置されるべき商品情報等の位置が表示されている。大中小の選択はＰＯＰ大きさ入力欄４０２にて行われる。
【０１１３】
このような表示状態において、バイヤーが端末装置３の例えばマウスを操作して登録ボタン４０ａを指定（クリック）すると、制御部１１は、これを認識し（ステップＳ６３２）：Ｙ）し、提示画面データベース１２ｅに記憶された商品情報登録画面の画面データ等を取得して、インターネット４を介して端末装置３に提示する（ステップＳ６３３）。
【０１１４】
こうして端末装置３のモニタ上に商品情報登録画面（図示せず）が表示され、当該画面上にはＰＯＰ広告票作成対象の商品の商品情報を入力するための複数の商品情報入力欄及び登録ボタン等が設けられている。
【０１１５】
このような表示状態において、バイヤーが端末装置３の入力部を操作して商品情報入力欄に商品情報を入力して登録ボタンを例えばマウスにより指定（クリック）すると、入力された商品情報がインターネット４を介して商品情報登録サーバ１に送信される。
【０１１６】
商品情報登録サーバ１の制御部１１が、かかる商品情報を受信（取得）すると（ステップＳ６３４：Ｙ）、ＰＯＰ用商品登録手段として機能し、当該商品情報をＰＯＰ用商品データベース１２ｄに登録する（ステップＳ６３５）。再び、ＰＯＰ掲載商品リスト作成画面４０が端末装置３に提示される。
【０１１７】
こうして端末装置３のモニタ上に表示されたＰＯＰ掲載商品リスト作成画面４０には、図示しないが、ステップＳ６３５で登録された商品情報がリストに追加されて表示される。
【０１１８】
そして、バイヤーが端末装置３の例えばマウスを操作して購入商品取込ボタン４０ｂを指定（クリック）すると、制御部１１は、これを認識し（ステップＳ６３６：Ｙ）し、制御部１１は、購入商品データベース１２ｂを参照してＰＯＰ広告票への商品情報の掲載が有である商品の商品売込情報を取得すると共に、提示画面データベース１２ｅに記憶された購入商品選択画面の画面データ等を取得して、これらをインターネット４を介して端末装置３に提示する（ステップＳ６３７）。
【０１１９】
こうして端末装置３のモニタ上には図１５に示した購入商品選択画面３９が表示される（ＰＯＰ広告票への商品情報の掲載が無である商品は、例え広告印刷物への商品情報の掲載が有であってもその商品情報は表示されない）。このような表示状態において、バイヤーが端末装置３の例えばマウスを操作して所望の商品の選択入力欄３９ａをチェックして、登録ボタン３９ｂを指定（クリック）すると、制御部１１は、選択された１又は複数の商品の商品売込情報を認識し（ステップＳ６３８：Ｙ）、選択された商品売込情報をＰＯＰ用商品データベース１２ｄに登録する（ステップＳ６３９）。つまり、広告印刷物掲載商品リストにない商品の商品情報を登録することができるのである。そして、再び、ＰＯＰ掲載商品リスト作成画面４０が端末装置３に提示される。
【０１２０】
こうして端末装置３のモニタ上に表示されたＰＯＰ掲載商品リスト作成画面４０には、図示しないが、ステップＳ６３９で登録された商品情報がリストに追加されて表示される。このように、バイヤーは購入商品データベース１２ｂに登録された商品売込情報をＰＯＰ広告票の掲載商品リスト作成に有効に利用することができる。
【０１２１】
次に、ＰＯＰ掲載商品リスト作成画面４０の表示状態において、バイヤーが端末装置３の例えばマウスを操作してＰＯＰ作成ボタン４０ｃを指定（クリック）すると、制御部１１は、これを認識し（ステップＳ６４０：Ｙ）、ＰＯＰ広告票の掲載商品リストにおける各商品の商品情報を取得すると共に、ＰＯＰ用商品データベース１２ｄから基準画像コード及び配置コードを取得し、当該商品情報を、当該配置データにより示されたＰＯＰ広告票の基準画像上の位置に配置して、各商品のＰＯＰ広告票の画像データを作成（ステップＳ６４１）し、端末装置３のモニタ上に表示させる。このようなＰＯＰ広告票の画像は、印刷機によって印刷することができる。
【０１２２】
図１９（Ａ）は、ＰＯＰ広告票の基準画像を、（Ｂ）は、配置データにより示される商品情報等の位置を、（Ｃ）は、作成されたＰＯＰ広告票の画像を、それぞれ示す図である。図１９（Ｂ）の例では、ＰＯＰ広告票の基準画像の上部の領域２０１には取引条件であった「ＰＯＰコメント」が、中央部の領域には商品情報中の「商品の画像」及び「商品名」が、下部の領域には商品情報中の「売価」が、それぞれ所定の表示形式で位置（配置）されるように配置データにて定義（例えば、各領域と、商品情報等との対応付けを示し、各領域は、基準画像上における左上頂点の座標（Ｘ１，Ｙ１）と、右下頂点の座標（Ｘ２，Ｙ２）によって示される。また、配置データには、各領域に配置される商品情報の表示形式（文字の場合：フォント、書体、間隔、色等。画像、イラスト及びロゴの場合：大きさや色等）を示す情報が含まれている。））されている。そして、商品情報が実際にＰＯＰ広告票の基準画像上の位置に配置されて図１９（Ｃ）に示すように、ＰＯＰ広告票の画像が作成されることになる。
【０１２３】
なお、複数種類のＰＯＰ広告票の基準画像及び配置データを予め登録しておき、これらをＰＯＰ掲載商品リスト作成画面４０上で選択可能に提示し、選択されたＰＯＰ広告票の基準画像及び配置データに基づいて、ＰＯＰ広告票の画像データを作成するように構成してもよい。
【０１２４】
そして、バイヤーが端末装置３の例えばマウスを操作して登録終了ボタン４０ｄを指定（クリック）すると、制御部１１は、これを認識し（ステップＳ６４２）し、ＰＯＰ掲載商品リスト作成画面４０にて商品情報の内容が変更されている場合、制御部１１は、かかる変更内容をＰＯＰ用商品データベース１２ｄに更新登録して、図１２に示す掲載商品リスト作成処理に戻り、再び、広告印刷物掲載商品リスト作成画面３８が端末装置３に提示される。
【０１２５】
そして、広告印刷物掲載商品リスト作成画面３８の表示状態において、バイヤーが端末装置３の例えばマウスを操作して登録終了ボタン３８ｄを指定（クリック）すると、制御部１１は、これを認識し（ステップＳ６４）し、広告印刷物掲載商品リスト作成画面３８にて商品情報の内容が変更されている場合、制御部１１は、かかる変更内容を広告印刷物用商品データベース１２ｃに更新登録して、図３に示す提供サービス選択処理に戻る（ステップＳ５に戻る）。
【０１２６】
以上説明したように、上記実施形態によれば、サプライヤーから提示された取引条件に基づき、サプライヤーとバイヤー間で複数種類の商品の取引交渉を迅速、的確に行い、より効果的に商品取引を行うことができる。しかも、取引条件には、広告印刷物への商品情報の掲載や、ＰＯＰ広告票への商品情報の掲載等が含まれているので、従来にはない商品取引を実現することができる。
【０１２７】
更に、このような取引条件は、サプライヤーとバイヤー間が合意するまで変更され、最終的に確定した取引条件の結果が、広告印刷物用商品データベースやＰＯＰ用商品データベースに登録され、広告印刷物の掲載商品リストやＰＯＰ広告票の掲載商品リストに自動的に反映されるので、バイヤーによる商品情報の登録作業の省力化を図ることができる。従って、商品取引交渉で得られた情報を有効に活用することができる。
【図面の簡単な説明】
【０１２８】
【図１】本実施形態にかかる商品取引システムのハードウェア構成の一例を示す図である。
【図２】商品情報登録サーバ１の概要構成を示す機能ブロック図である。
【図３】商品情報登録サーバ１の制御部１１における提供サービス選択処理を示すフローチャートである。
【図４】商品情報登録サーバ１の制御部１１における商品取引処理（販売商品登録処理）を示すフローチャートである。
【図５】端末装置２のモニタ上に表示された商品売込一覧画面の一例を示す図である。
【図６】端末装置２のモニタ上に表示された商品売込情報登録画面の一例を示す図である。
【図７】端末装置２のモニタ上に表示された商品売込情報変更画面の一例を示す図である。
【図８】商品情報登録サーバ１の制御部１１における商品取引処理（購入商品登録処理）を示すフローチャートである。
【図９】端末装置３のモニタ上に表示された商品売込一覧画面の一例を示す図である。
【図１０】端末装置３のモニタ上に表示された商品売込情報閲覧画面の一例を示す図である。
【図１１】端末装置３のモニタ上に表示された取引条件変更要求入力画面の一例を示す図である。
【図１２】商品情報登録サーバ１の制御部１１における掲載商品リスト作成処理を示すフローチャートである。
【図１３】端末装置３のモニタ上に表示された広告印刷物選択画面の一例を示す図である。
【図１４】端末装置３のモニタ上に表示された広告印刷物掲載商品リスト作成画面の一例を示す図である。
【図１５】端末装置３のモニタ上に表示された購入商品選択画面の一例を示す図である。
【図１６】端末装置３のモニタ上に表示された掲載商品リスト作成画面の一例を示す図である。
【図１７】商品情報登録サーバ１の制御部１１におけるＰＯＰ掲載商品リスト作成処理を示すフローチャートである。
【図１８】こうして端末装置３のモニタ上に表示されたＰＯＰ掲載商品リスト作成画面４０の一例を示す図である。
【図１９】（Ａ）は、ＰＯＰ広告票の基準画像を、（Ｂ）は、配置データにより示される商品情報等の位置を、（Ｃ）は、作成されたＰＯＰ広告票の画像を、それぞれ示す図である。
【符号の説明】
【０１２９】
１  商品情報登録サーバ
２，３  端末装置
４  インターネット
１１  制御部
１２  記憶部
１２ａ  販売商品データベース
１２ｂ  購入商品データベース
１２ｃ  広告印刷物用商品データベース
１２ｄ  ＰＯＰ用商品データベース
１２ｅ  提示画面データベース
１３  通信部
Ｓ  商品取引システム
【図１】
2005092562.tif 000003
【図２】
2005092562.tif 000004
【図３】
2005092562.tif 000005
【図４】
2005092562.tif 000006
【図５】
2005092562.tif 000007
【図６】
2005092562.tif 000008
【図７】
2005092562.tif 000009
【図８】
2005092562.tif 000010
【図９】
2005092562.tif 000011
【図１０】
2005092562.tif 000012
【図１１】
2005092562.tif 000013
【図１２】
2005092562.tif 000014
【図１３】
2005092562.tif 000015
【図１４】
2005092562.tif 000016
【図１５】
2005092562.tif 000017
【図１６】
2005092562.tif 000018
【図１７】
2005092562.tif 000019
【図１８】
2005092562.tif 000020
【図１９】
2005092562.tif 000021